(57)【特許請求の範囲】
【請求項１】
建物内において使用される携帯電話機用充電器ホルダーと、上記建物の出入り口近傍に設置された受信部および人体を検出する人感センサーと、上記充電器ホルダーに対する上記携帯電話機の有無を検出するセンサーを含み、その検出信号を上記受信部に送信する送信部と、上記受信部および上記人感センサーからの情報に基づいてブザーなどの報知手段を動作させる制御手段とを備え、
上記制御手段は、上記人感センサーにて人体が検知され、かつ、上記送信部より上記受信部に送信された検出信号が「電話機有り」の場合には、上記報知手段を動作させて、携帯電話機置き忘れを意味する警告を行なうことを特徴とする携帯電話機の置き忘れ防止装置。
【請求項２】
上記送信部から上記受信部への送信は、無線、有線もしくはＡＣ電源ラインのいずれか一つを介して行なわれることを特徴とする請求項１に記載の携帯電話機の置き忘れ防止装置。
【発明の詳細な説明】
【０００１】
【発明の属する技術分野】
本発明は携帯電話機の置き忘れ防止装置に関し、さらに詳しく言えば、外出する際における携帯電話機の置き忘れを防止する携帯電話機の置き忘れ防止装置に関するものである。
【０００２】
【従来の技術】
携帯に便利なように、携帯電話機は近年ますます小型・軽量化され、鞄などに入れていても、その存在を余り感じないようになってきている。それ故に、置き忘れることが多い。
【０００３】
置き忘れ防止のための類似技術としては、鞄などの置き忘れ防止装置がある。これは微弱電波を利用したもので、送信機を鞄に入れておき、受信機を身に付ける。送信機と受信機の距離が広がると受信電波が弱くなるため、これを検知してブザーなどで警報を鳴らす。
【０００４】
【発明が解決しようとする課題】
しかしながら、これによると送信機と受信機とが必要であるとともに、必ず受信機を身につけておく必要がある。すなわち、受信機を置き忘れた場合には用をなさない。
【０００５】
そればかりでなく、携帯時には常に送信機をオンにして微弱電波を発信させておく必要があるため、携帯電話機に適用すると種々の不都合が生ずる。このような理由により、携帯電話用の置き忘れ防止装置は未だ実用化されていない。
【０００６】
ところで、家庭内においては、通常、携帯電話機を充電器ホルダーに置いておくため、外出する際に置き忘れる場合が多い。最近の携帯電話機は、上述したようにますます小型・軽量化され、物理的にその存在感が薄くなってきているため、その重さなどでは携帯したかどうかを判別し難く、外出先で使用する必要が感じたときに忘れたことに気づくことが多い。その結果、例えば重要な商機を逃したり、連絡が取れないことにより信用問題などに発展してしまう場合もあった。
【０００７】
本発明は、このような課題を解決するためになされたもので、その目的は、携帯電話機の構成はそのままとして、外出時における携帯電話機の置き忘れを使用者に確実に知らせることができるようにした携帯電話機の置き忘れ防止装置を提供することにある。
【０００８】
【課題を解決するための手段】
上記目的を達成するため、本発明は、建物内において使用される携帯電話機用充電器ホルダーと、上記建物の出入り口近傍に設置された受信部および人体を検出する人感センサーと、上記充電器ホルダーに対する上記携帯電話機の有無を検出するセンサーを含み、その検出信号を上記受信部に送信する送信部と、上記受信部および上記人感センサーからの情報に基づいてブザーなどの報知手段を動作させる制御手段とを備え、上記制御手段は、上記人感センサーにて人体が検知され、かつ、上記送信部より上記受信部に送信された検出信号が「電話機有り」の場合には、上記報知手段を動作させて、携帯電話機置き忘れを意味する警告を行なうことを特徴としている。
【０００９】
これによれば、人感センサーにより出入り口を通過する人が検知される。そのとき、充電器ホルダーに携帯電話機が置かれていると、制御手段は携帯電話機置き忘れと判断し、報知手段により警報を発する。これにより、外出時の携帯電話機の置き忘れが防止される。
【００１０】
送信部から受信部への送信は、無線、有線（専用線）もしくはＡＣ電源ラインのいずれであってよいが、送信アンテナ受信アンテナが不要で、しかも特に新たな配線工事を必要としない点からすれば、ＡＣ電源ラインを利用することが好ましい。また、人感センサーには焦電センサーが好適である。
【００１１】
【発明の実施の形態】
次に、図１に示す模式図を参照して、本発明の実施例ついて説明する。本発明は、家庭やオフィスなどにおいて携帯電話機は、不使用時には多くの場合、充電器ホルダーに置かれていることを前提としてなされたものである。
【００１２】
したがって、この実施例においては、充電器ホルダー３０に携帯電話機ＴＰの有無を検知する検出器４０および送信部４１を備えている。検出器４０は充電器ホルダー３０に取り付けられるセンサー４０ａを有し、センサー４０ａからの出力信号に基づいて送信部４１に「電話機あり」もしくは「電話機なし」の検出信号を送出する。
【００１３】
なお、センサー４０ａは、マイクロスイッチや、非接触型の例えば光センサー、超音波センサー、磁気センサーなどであってよい。
【００１４】
また、この実施例は、建物の出入り口（ここでは、玄関ドアとする）付近に配置された人感センサー４２、上記送信部４１からの送信信号を受信する受信部４３、制御部４４および制御部４４により駆動される報知手段としてのブザー４５を備えている。
【００１５】
人感センサー４２は、玄関ドアを通過する人を検出するもので、自動ドアの開閉制御に用いられている各種のセンサー、例えば超音波センサー、反射型赤外線センサー、焦電型センサー、人の重量を検知する踏圧マット式センサーなどが適用可能であるが、中でも設置時の作業性やメンテナンスなどの点からすれば焦電型センサーが好ましい。
【００１６】
送信部４１と受信部４３を結ぶ方式は、無線送信機４１ａおよび無線受信機４３ａからなる無線通信方式、専用線４１ｂによる有線通信方式もしくはそれぞれのＡＣ電源ライン４１ｃ，４３ｃを経由させるＡＣ電源ライン経由方式のいずれであってもよいが、簡便な点ではＡＣ電源ライン経由方式が好ましい。
【００１７】
制御部４４は、マイクロコンピュータであってよい。また、マイクロコンピュータには、ＣＰＵ（ｃｅｎｔｒａｌ  ｐｒｏｃｅｓｓｉｎｇ  ｕｎｉｔ）やＭＰＵ（ｍｉｃｒｏ  ｐｒｏｃｅｓｓｉｎｇ  ｕｎｉｔ）と呼ばれる制御素子も当然に含まれる。
【００１８】
次に、この実施例の動作を説明する。検出器４０から送信部４１に対して、携帯電話機ＴＰが充電器ホルダー３０にあるか、ないかの検出信号が送られる。送信部４１は、この検出信号を受けて受信部４３に「電話機あり」もしくは「電話機なし」の信号を送出する。
【００１９】
制御部４４は、人感センサー４２および受信部４３を監視し、人感センサー４２からの信号により人が通ったことを検知すると、受信部４３の受信内容を調べる。そして、受信部４３の受信内容が「電話機あり」の場合には、携帯電話機ＴＰの置き忘れと判断してブザー４５を鳴動させて、玄関ドアを通過する人に注意を促す。受信部４３の受信内容が「電話機なし」の場合には、携帯電話機ＴＰを携行しているものとして、ブザー４５を鳴動させない。
【００２０】
なお、携帯電話機ＴＰを室内に置き忘れていることを報知する対象は、建物から出ていく人である。したがって、建物から出ていく人と建物に入ってくる人とを識別する必要がある場合には、例えば人感センサーを室内側と室外側との両方に設け、そのいずれが先に人を検知したかを判断すればよい。
【００２１】
すなわち、人を検知したときをオン、人を検知していないときをオフとすると、室内側人感センサーが先にオンしたならば、その人が建物から出ていくと判断して、受信部４３の受信内容を調べ置き忘れ防止動作を行なう。これに対して、室外側人感センサーが先にオンしたならば、その人が建物内に入ってきたと判断し、置き忘れ防止動作を行なわないようにすればよい。
【００２２】
以上、本発明を具体的な実施例により説明したが、当業者であるならば容易に思いつくであろう変形、改変および均等技術も本発明に含まれる。例えば、上記実施例では報知手段としてブザーを用いているが、音声、表示ランプなどに置き換えることは容易である。また、マイクロコンピュータにしても、どのポートを使用するかは機種によってまちまちであるため、任意に選択できる。
【００２３】
【発明の効果】
以上説明したように、本発明によれば、外出時にも建物からでるときに、携帯電話機の置き忘れがチェックされるため、外出先での持ち忘れに気づいて不便な思いをすることがなくなる。
【図面の簡単な説明】
【図１】本発明の実施例を示した模式図。
【符号の説明】
３０  充電器ホルダー
４０  検出器
４１  送信部
４２  人感センサー
４３  受信部
４４  制御部
【図１】
0004210393.tif 000002